Podtech/llm-jp-corpus-v4-ja_patent huggingface dataset:
【手続補正書】
【提出日】平成23年2月7日(2011.2.7)
【手続補正１】
【補正対象書類名】明細書
【補正対象項目名】００４０
【補正方法】変更
【補正の内容】
【００４０】
本発明を、好ましい実施形態を参照して特定的に示し、記載してきたが、本発明の精神および範囲から逸脱すること無く、様々な変更および修飾を行うことが可能であることが、当業者に容易に理解されるだろう。特許請求の範囲が、開示された実施形態、これまでに述べたそれらの代替物、およびそれらの全ての均等物を含むように解釈されることを意図している。
［本発明の態様］
１．ヨウ化メチルと、フルオロカーボンまたはハイドロフルオロカーボンのうち少なくとも一種との混合物を含み、約３０℃以下の温度で気体である、共沸または共沸様組成物。
２．少なくとも一種のフルオロカーボンまたはハイドロフルオロカーボンが、約０℃〜約５０℃の沸点を有する、１に記載の組成物。
３．少なくとも一種のフルオロカーボンまたはハイドロフルオロカーボンが、約０．０５以下の平均オゾン破壊係数を有する、１に記載の組成物。
４．少なくとも一種のフルオロカーボンまたはハイドロフルオロカーボンが、約１０００以下の１００年地球温暖化係数を有する、１に記載の組成物。
５．少なくとも一種のフルオロカーボンまたはハイドロフルオロカーボンが、１，１，１，３，３−ペンタフルオロプロパンを含む、１に記載の組成物。
６．少なくとも一種のフルオロカーボンまたはハイドロフルオロカーボンが、１，１，１，３，３−ペンタフルオロブタンを含む、１に記載の組成物。
７．少なくとも一種のフルオロカーボンまたはハイドロフルオロカーボンが、シス−１，３，３，３−テトラフルオロプロペンを含む、１に記載の組成物。
８．約５〜約７０重量％のヨウ化メチルと、約３０〜約９５重量％の少なくとも一種のフルオロカーボンまたはハイドロフルオロカーボンとを含む、１に記載の組成物。
９．約８℃〜約１４．５℃の沸点を有する、１に記載の組成物。
１０．約１．５ｇ／ｃｃ〜約２．４ｇ／ｃｃの密度を有する、１に記載の組成物。
１１．１の組成物を含む、くん蒸剤。
１２．５の組成物を含む、くん蒸剤。
１３．６の組成物を含む、くん蒸剤。
１４．７の組成物を含む、くん蒸剤。
１５．約５〜約７０重量％のヨウ化メチルと、約３０〜約９５重量％の少なくとも一種のフルオロカーボンまたはハイドロフルオロカーボンとを含み、密度が約１．５ｇ／ｃｃ〜約２．４ｇ／ｃｃである組成物であって、該組成物の該少なくとも一種のフルオロカーボンまたはハイドロフルオロカーボンが、約０．０５以下の平均オゾン破壊係数と、約１０００以下の１００年地球温暖化係数とを有する、請求項１に記載の組成物を含むくん蒸剤。
１６．少なくとも一種のフルオロカーボンまたはハイドロフルオロカーボンが、１，１，１，３，３−ペンタフルオロプロパンを含む、１５に記載のくん蒸剤。
１７．少なくとも一種のフルオロカーボンまたはハイドロフルオロカーボンが、１，１，１，３，３−ペンタフルオロブタンを含む、１５に記載のくん蒸剤。
１８．少なくとも一種のフルオロカーボンまたはハイドロフルオロカーボンが、シス−１，３，３，３−テトラフルオロプロペン（ＨＦＣ−１２３４ｚｅ）を含む、１５に記載のくん蒸剤。
１９．（ａ）ヨウ化メチルと、フルオロカーボンまたはハイドロフルオロカーボンのうち少なくとも一種との混合物を含み、約３０℃以下の温度で気体である、共沸または共沸様組成物を含むくん蒸剤を提供すること；および
（ｂ）該くん蒸剤をくん蒸されるための材料に適用すること
を含む、くん蒸方法。
２０．くん蒸剤が工程（ｂ）において気体として適用される、１９に記載の方法。
２１．約０℃〜約５０℃の周囲温度で工程（ｂ）が実施される、１９に記載のくん蒸方法。
２２．少なくとも一種のフルオロカーボンまたはハイドロフルオロカーボンが、１，１，１，３，３−ペンタフルオロプロパンを含む、１９に記載の方法。
２３．少なくとも一種のフルオロカーボンまたはハイドロフルオロカーボンが、１，１，１，３，３−ペンタフルオロブタンを含む、１９に記載の方法。
２４．少なくとも一種のフルオロカーボンまたはハイドロフルオロカーボンが、シス−１，３，３，３−テトラフルオロプロペン（ＨＦＣ−１２３４ｚｅ）を含む、１９に記載の方法。
２５．くん蒸剤が、工程（ｂ）において土壌に適用される、１９に記載の方法。
２６．くん蒸剤が、工程（ｂ）において木に適用される、１９に記載の方法。
２７．くん蒸剤が、工程（ｂ）において建物の表面に適用される、１９に記載の方法。
【手続補正２】
【補正対象書類名】特許請求の範囲
【補正対象項目名】全文
【補正方法】変更
【補正の内容】
【特許請求の範囲】
【請求項１】
ヨウ化メチルと、約４０重量％〜約９０重量％の１，１，１，３，３−ペンタフルオロプロパン、約３５重量％〜約６５重量％の１，１，１，３，３−ペンタフルオロブタン、及び約４５重量％〜約９５重量％のシス−１，３，３，３−テトラフルオロプロペンからなる群から選択されるハイドロフルオロカーボンとの混合物から本質的に成り、約３０℃以下の温度で気体である、共沸または共沸様組成物。
【請求項２】
請求項１の組成物を含む、くん蒸剤。
【請求項３】
（ａ）ヨウ化メチルと、約４０重量％〜約９０重量％の１，１，１，３，３−ペンタフルオロプロパン、約３５重量％〜約６５重量％の１，１，１，３，３−ペンタフルオロブタン、及び約４５重量％〜約９５重量％のシス−１，３，３，３−テトラフルオロプロペンからなる群から選択されるハイドロフルオロカーボンとの混合物から本質的に成り、約３０℃以下の温度で気体である、共沸または共沸様組成物を含むくん蒸剤を提供すること；および
（ｂ）該くん蒸剤をくん蒸されるための材料に適用すること
を含む、くん蒸方法。
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
ヒトを対象とする白血病を治療するための方法において使用する、シタラビン対ダウノルビシンが約５：１の固定したモル比である、シタラビンとダウノルビシンから実質的になる医薬組成物であって、
該方法は、シタラビンが約１３４ｍｇ／ｍ２の単回投与で供給され、投与サイクルを通じて約４０２ｍｇ／ｍ２の合計量で供給される投与サイクルにおいて、８時間以下の期間にわたり該組成物を単回投与で静脈内投与することから実質的になり、
固定した比は少なくとも４時間血漿中で維持され、そして
固定した、非拮抗モル比のシタラビンとダウノルビシンは、ＤＳＰＣ、ＤＳＰＧおよびコレステロールから形成されるリポソーム内に被包される、前記組成物。
【請求項２】
３時間以下で投与される、請求項１に記載の組成物。
【請求項３】
９０分間以下で投与される、請求項２に記載の組成物。
【請求項４】
前記リポソームが７：２：１のモル比でＤＳＰＣ、ＤＳＰＧおよびコレステロールを含む、請求項１〜３のいずれかに記載の組成物。
【請求項５】
投与サイクルの１、３および５日に各用量の組成物を投与する、請求項１〜４のいずれかに記載の組成物。
【請求項６】
白血病が、急性リンパ性白血病（ＡＬＬ）、急性骨髄性白血病（ＡＭＬ）または急性前骨髄球白血病（ＡＰＬ）である、請求項１〜５のいずれかに記載の使用。
【請求項７】
前記対象が少なくとも１種の抗癌投薬計画を以前に受けている、請求項１〜６のいずれかに記載の使用。
【手続補正書】
【提出日】平成23年1月27日(2011.1.27)
【手続補正１】
【補正対象書類名】特許請求の範囲
【補正対象項目名】請求項１
【補正方法】変更
【補正の内容】
【請求項１】
式Ｉ 
【化１】
2010519230.tif 000001
式中、 
Ｒ１は、Ｈ、Ａ、−［Ｃ（Ｒ６）２］ｎＡｒ、−［Ｃ（Ｒ６）２］ｎＨｅｔまたは−［Ｃ（Ｒ６）２］ｎシクロアルキルを示し、 
Ｒ２は、ＨまたはＡを示し、 
Ｒ３、Ｒ４は、各々、互いに独立して、Ｈ、Ａ、Ｈａｌ、ＣＮ、−［Ｃ（Ｒ６）２］ｎＡｒ、−［Ｃ（Ｒ６）２］ｎＨｅｔまたは−［Ｃ（Ｒ６）２］ｎシクロアルキルを示し、 
Ｒ５は、Ｈ、Ａ、−［Ｃ（Ｒ６）２］ｎＡｒ、−［Ｃ（Ｒ６）２］ｎＨｅｔまたは−［Ｃ（Ｒ６）２］ｎシクロアルキルを示し、 
Ｒ６は、Ｈまたは１〜６個のＣ原子を有するアルキルを示し、 
Ａ、Ａ’は、各々、互いに独立して、１つまたは２つのＣＨ２基がＯまたはＳ原子により、および／または−ＣＨ＝ＣＨ−基により置き換えられていてもよく、および／または、さらに、１〜７個のＨ原子がＦにより置き換えられていてもよい、１〜１０個のＣ原子を有する非分枝または分枝アルキルを示し、 
Ｈａｌは、Ｆ、Ｃｌ、ＢｒまたはＩを示し、 
Ａｒは、非置換であるか、またはＯＨ、ＯＡ、ＳＨ、ＳＡ、ＳＯＡ、ＳＯ２Ａ、Ｈａｌ、ＮＯ２、ＮＨ２、ＮＨＡ、ＮＡＡ’、Ａ、ＳＯ２ＮＨ２、ＳＯ２ＮＨＡ、ＳＯ２ＮＡＡ’、ＣＯＮＨ２、ＣＯＮＨＡ、ＣＯＮＡＡ’、ＮＡＣＯＡ’、ＮＡＳＯ２Ａ’、ＣＯＯＨ、ＣＯＯＡ、ＣＯＡ、ＣＨＯおよび／またはＣＮにより単置換、二置換、三置換、四置換または五置換されている、５〜１４個のＣ原子を有する飽和、不飽和または芳香族炭素環を示し、 
Ｈｅｔは、１〜４個のＮ、Ｏおよび／またはＳ原子を有する、単環式または二環式の飽和、不飽和または芳香族複素環を示し、これは非置換であるか、またはＯＨ、ＯＡ、ＳＯＡ、ＳＯ２Ａ、Ｈａｌ、ＮＯ２、ＮＨ２、ＮＨＡ、ＮＡＡ’、Ａ、ＳＯ２ＮＨ２、ＳＯ２ＮＨＡ、ＳＯ２ＮＡＡ’、ＣＯＮＨ２、ＣＯＮＨＡ、ＣＯＮＡＡ’、ＮＡＣＯＡ’、ＮＡＳＯ２Ａ’、ＣＯＯＨ、ＣＯＯＡ、ＣＨＯ、ＣＯＡおよび／またはＣＮにより、単置換または二置換されていてもよく、 
ｎは、０、１または２を示す、 
で表される化合物、またはその薬学的に使用し得る誘導体、溶媒和物、塩、互変異性体もしくは立体異性体、またはそれらのすべての比率での混合物。 
【手続補正２】
【補正対象書類名】特許請求の範囲
【補正対象項目名】請求項１５
【補正方法】変更
【補正の内容】
【請求項１５】
請求項１〜１３のいずれかに記載の少なくとも１種の化合物、および／またはその薬学的に使用し得る誘導体、塩、溶媒和物、互変異性体および／または立体異性体、または、それらのすべての比率での混合物、ならびに、任意に賦形剤および／またはアジュバントを含む、医薬。 
【手続補正３】
【補正対象書類名】特許請求の範囲
【補正対象項目名】請求項１６
【補正方法】変更
【補正の内容】
【請求項１６】
請求項１〜１３のいずれかに記載の化合物、および／またはその薬学的に使用し得る誘導体、塩、溶媒和物、互変異性体および／または立体異性体、または、それらのすべての比率での混合物の、腫瘍、腫瘍増殖、腫瘍転移および／またはＡＩＤＳの処置のための医薬の製造のための使用。 
【手続補正４】
【補正対象書類名】特許請求の範囲
【補正対象項目名】請求項２１
【補正方法】変更
【補正の内容】
【請求項２１】
請求項１〜１３のいずれかに記載の化合物および／またはその生理学的に許容し得る塩および／または溶媒和物の、腫瘍の処置のための医薬の製造のための使用であって、式Ｉで表される化合物の治療有効量が、１）エストロゲン受容体モジュレータ、２）アンドロゲン受容体モジュレータ、３）レチノイド受容体モジュレータ、４）細胞毒性薬、５）抗増殖剤、６）プレニルタンパク質トランスフェラーゼ阻害剤、７）ＨＭＧ−ＣｏＡレダクターゼ阻害剤、８）ＨＩＶプロテアーゼ阻害剤、９）逆転写酵素阻害剤、および１０）さらなる血管形成阻害剤、の群からの化合物と組み合わせて投与される、前記使用。 
【手続補正５】
【補正対象書類名】特許請求の範囲
【補正対象項目名】請求項２２
【補正方法】変更
【補正の内容】
【請求項２２】
請求項１〜１３のいずれかに記載の化合物および／またはその生理学的に許容し得る塩および／または溶媒和物の、腫瘍の処置のための医薬の製造のための使用であって、式Ｉで表される化合物の治療有効量が、放射線治療および１）エストロゲン受容体モジュレータ、２）アンドロゲン受容体モジュレータ、３）レチノイド受容体モジュレータ、４）細胞毒性薬、５）抗増殖剤、６）プレニルタンパク質トランスフェラーゼ阻害剤、７）ＨＭＧ−ＣｏＡレダクターゼ阻害剤、８）ＨＩＶプロテアーゼ阻害剤、９）逆転写酵素阻害剤、および１０）さらなる血管形成阻害剤の群からの化合物と組み合わせて投与される、前記使用。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
式（Ｉ）の立体異性体的に純粋な化合物、またはその医薬的に許容される塩の結晶形：
【化４】
2010519300.tif 000001
【請求項２】
塩酸塩であり、水を含み、約１４．４８、１９．０５、２１．３５および２２．９６°２θ、または約１２．７、１４．５、１９．１、２１．４、２３．０、２５．５および２７．３°２θにピークを含むＸ線粉末回折パターンを有する、請求項１に記載の結晶形。
【請求項３】
水の塩酸塩に対するモル比が、およそ１対１である、請求項２に記載の結晶形。
【請求項４】
水が、４重量％と８重量％の間の量で存在する、請求項２に記載の結晶形。
【請求項５】
水が、約６重量％存在する、請求項４に記載の結晶形。
【請求項６】
２５℃から１１０℃に加熱したとき、サンプルの総質量の４％と８％の間の重量損失を含む重量分析サーモグラムを有する、請求項２に記載の結晶形。
【請求項７】
重量損失が約５．６％である、請求項６に記載の結晶形。
【請求項８】
５０℃と１２５℃の間の開始温度を有する吸熱を含む示差走査サーモグラムを有する、請求項２に記載の結晶形。
【請求項９】
開始温度が約９３℃である、請求項８に記載の結晶形。
【請求項１０】
約１５０Ｋで測定されるときに、以下の近似単位格子パラメータ：ａ＝６．７８Å；ｂ＝９．２９Å；ｃ＝２７．６５Å；α＝９０°；β＝９０°；γ＝９０°を有する、請求項２に記載の結晶形。
【請求項１１】
純粋である、請求項２に記載の結晶形。
【請求項１２】
少なくとも１つの溶媒から前記式（Ｉ）の化合物の塩酸塩を晶出させること、または、前記式（Ｉ）の化合物の塩酸塩の別の結晶または非晶形からの変換によって得られる、請求項２に記載の結晶形。
【請求項１３】
請求項１から１２のいずれかに記載の結晶形と、医薬的に許容される希釈剤、賦形剤または担体とを含む医薬組成物。
【請求項１４】
うつ病、疼痛、不安、失禁、または閉経期血管運動症候群の治療、予防または管理方法であって、請求項１３に記載の医薬組成物の治療または予防有効量をそのような治療、予防または管理が必要な患者に投与することを含む方法。
【請求項１５】
前記疼痛が、慢性疼痛である、請求項１４に記載の方法。
【請求項１６】
前記不安が、強迫性障害である、請求項１４に記載の方法。
【請求項１７】
前記失禁が、大便失禁、溢流性尿失禁、受動失禁、反射性尿失禁、腹圧性尿失禁、切迫尿失禁、または運動性尿失禁である、請求項１４に記載の方法。
【請求項１８】
前記閉経期血管運動症候群が、顔面潮紅である、請求項１４に記載の方法。
【請求項１９】
式（Ｉ）の立体異性体的に純粋な化合物の塩酸塩の量が、ラセミベンラファキシンの投与に関連した有害作用を引き起こすには不十分である、請求項１４に記載の方法。
【請求項２０】
Ｏ−デスメチルベンラファキシンの投与される量が、１日あたり約１０ｍｇから約１０００ｍｇである、請求項１４に記載の方法。
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
少なくとも５ｋＤａの分子量を有する非天然の組換え製造したゼラチンポリペプチドであって、少なくとも８０％のアミノ酸がＧｌｙ−Ｘａａ−Ｙａａトリプレットとして存在し、ここでＧはグリシンであり、ＸａａおよびＹａａはいずれかのアミノ酸であり、そのポリペプチドが５ｋＤａの分子量当たり少なくとも１つのＸＲＧＤモチーフを含み、ここでＸはＤ（Ａｓｐ）およびＰ（Ｐｒｏ）またはＯ（ヒドロキシプロリン）以外のいずれかのアミノ酸である、前記ゼラチンポリペプチド。
【請求項２】
ＸがＫ、Ｒ、Ｈ、Ｓ、Ａ、Ｇ、Ｎ、ＱおよびＥよりなる群から選択される、請求項１に記載の非天然の組換え製造したゼラチンポリペプチド。
【請求項３】
少なくとも２つのＸＲＧＤモチーフを含む、請求項１または２に記載の非天然の組換え製造したゼラチンポリペプチド。
【請求項４】
５ｋＤａのポリペプチドの各部分が少なくとも１つのＸＲＧＤ配列を含む、請求項１〜３のいずれか１項に記載の非天然の組換え製造したゼラチンポリペプチド。
【請求項５】
１０％未満のプロリンがヒドロキシル化されている、請求項１〜４のいずれか１項に記載の非天然の組換え製造したゼラチンポリペプチド。
【請求項６】
ＳＥＱ  ＩＤ  ＮＯ：１に対して少なくとも６０％の配列同一性を有する配列を含むか、またはそれからなる、請求項１〜５のいずれか１項に記載の非天然の組換え製造したゼラチンポリペプチド。
【請求項７】
請求項１〜５のいずれか１項に記載の組換えゼラチンポリペプチドの少なくとも２つの反復を含むか、またはそれからなる、非天然の組換え製造したゼラチンポリペプチド。
【請求項８】
反復のアミノ酸配列が同一であり、そして当該反復がモノマー反復単位の間に７個未満の介在アミノ酸を含有する、請求項７に記載のポリマー状組換えゼラチン。
【請求項９】
請求項１〜８のいずれか１項に記載の組換えゼラチンを含む、制御放出組成物、止血組成物、皮膚充填剤組成物もしくは医薬組成物、または細胞支持体。
【請求項１０】
請求項１〜８のいずれか１項に記載の組換えゼラチンを製造するための方法であって、下記：
ａ）請求項１〜８に記載のポリペプチドをコードする核酸配列が適切なプロモーターに作動可能な状態で連結したものを含む発現ベクターを調製し；
ｂ）酵母菌種を前記の発現ベクターで形質転換し；
ｃ）前記の核酸配列を発現するのに適切な発酵条件下でその酵母菌種を培養し；そして
ｄ）場合により前記ポリペプチドを培地および／または宿主細胞から単離する；
を含む、前記方法。
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
ＭＴＨＦＲのＣ６７７Ｔ多型性についてホモ接合性の被験者における血圧上昇を治療または予防する医薬品の製造におけるリボフラビンの使用。
【請求項２】
ＭＴＨＦＲのＣ６７７Ｔ多型性についてヘテロ接合性の被験者における血圧上昇を治療または予防する医薬品の製造におけるリボフラビンの使用。
【請求項３】
前記医薬品は、経口または非経口投与に適切な形態である、請求項１または請求項２に記載のリボフラビンの使用。
【請求項４】
前記リボフラビンは、薬理学的に適合するまたは許容されるキャリアと一緒に投与される、請求項１〜３のいずれか１項に記載のリボフラビンの使用。
【請求項５】
ＭＴＨＦＲのＣ６７７Ｔ多型性についてホモ接合性の被験者における血圧上昇の治療または予防に使用する医薬品であって、薬学的に有効な量の降圧剤およびリボフラビンを含有し、前記降圧剤および前記リボフラビンが同時投与、別々投与または連続投与される、医薬品。
【請求項６】
ＭＴＨＦＲのＣ６７７Ｔ多型性についてヘテロ接合性の被験者における血圧上昇の治療または予防に使用する医薬品であって、リボフラビンおよび薬学的に有効な量の降圧剤を含有し、前記リボフラビンおよび前記降圧剤が同時投与、別々投与または連続投与される、医薬品。
【請求項７】
前記降圧剤は、ＡＣＥ阻害薬、β遮断薬、Ｃａ＋＋拮抗剤、α遮断薬、アンジオテンシンＩＩ拮抗剤、α／β遮断薬および利尿薬から選択される、請求項５または請求項６に記載の使用医薬品。
【請求項８】
前記ＡＣＥ阻害薬は、キナプリル、カプトプリル、リシノプリル、ベナゼプリル、ペリンドプリル、マレイン酸エナラプリル、トランドラプリル、ラミプリルおよびシラザプリルから選択され、前記β遮断薬は、アテノロール、テルタトロール、酒石酸メトプロロール、フマル酸ビソプロロール、ネビボロール、セリプロロールおよびピンドロールから選択され、前記Ｃａ＋＋拮抗剤は、ニフェジピン、ジルチアゼム、アムロジピン、ベラパミルおよびフェロピジンから選択され、前記α遮断薬は、メチルドパ、ドキサゾシン、クロニジンおよびプラゾシンから選択され、前記アンジオテンシンＩＩ拮抗剤は、イルベサルタン、カンデサルタン・シレキセチル、オルメサルタン・メドキソミル、バルサルタン、ロサルタン、テルミサルタンおよびエプロサルタン・メシレートから選択され、前記α／β遮断薬は、カルベジロールおよびラベタロールから選択され、ならびに前記利尿薬は、ベンドロフルメチアジド、ピレタニド、クロルサリドンおよびヒドロクロロチアジド（ＨＣＴＺ）から選択される、請求項７に記載の医薬品。
【請求項９】
前記医薬品は、経口投与または非経口投与に適切な形態である、請求項５〜８のいずれか１項に記載の医薬品。
【請求項１０】
ＭＴＨＦＲのＣ６７７Ｔ多型性についてホモ接合性の被験者における血圧上昇の治療または予防に使用され、リボフラビンを含有する製品。
【請求項１１】
ＭＴＨＦＲのＣ６７７Ｔ多型性についてヘテロ接合性の被験者における血圧上昇の治療または予防に使用され、リボフラビンを含有する製品であって、該被験者に対してリボフラビンを投与することを含む製品。
【請求項１２】
栄養製品を含む、請求項１０または請求項１１に記載のリボフラビンを含有する製品。
【請求項１３】
個人用栄養製品を含む、請求項１０または請求項１１に記載のリボフラビンを含有する製品。
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
ＴＮＦおよびα−ガラクトシルセラミドを含む医薬組成物。
【請求項２】
ＴＮＦが組換え体であり、そして該ＴＮＦがヒト由来である、請求項１記載の医薬組成物。
【請求項３】
化学療法剤をさらに含む、請求項１または２記載の医薬組成物。
【請求項４】
癌を処置するための医薬の製造のための、請求項１〜３のいずれか１項記載の医薬組成物の使用。
【請求項５】
単回α−ガラクトシルセラミド用量がＴＮＦの投与の少なくとも１時間前に投与される、請求項４記載の使用。
【請求項６】
ＴＮＦでの処置が少なくとも５連続日間毎日施される、請求項５記載の使用。
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
一般式（Ｉ）を有する化合物：
2010519289.tif 000001
式中、
ｍおよびｎはそれぞれが独立して、１〜６の整数である；
Ｘ１〜Ｘ３およびＹ１〜Ｙ３はそれぞれが独立して、ＯまたはＳである；
Ｒ１〜Ｒ３はそれぞれが独立して、水素、アルキルおよびシクロアルキルからなる群から選択される；および
Ｒは（ＣＨ２）ｘ−Ｃ（＝Ｏ）ＮＲ’−（ＣＨ２）ｙ−ＮＲ’Ｒ”であり、
ただし：
ｘおよびｙはそれぞれが独立して、１〜６の整数である；および
Ｒ’およびＲ”はそれぞれが独立して、水素、アルキルおよびシクロアルキルからなる群から選択される。
【請求項２】
式（ＩＩ）を有する請求項１に記載の化合物：
2010519289.tif 000002
式中、Ｒ＝−ＣＨ２−Ｃ（＝Ｏ）ＮＨ−ＣＨ２−ＣＨ２−ＮＨ２。
【請求項３】
請求項１または２に記載の化合物と特異的に結合することができる抗原認識領域を含む抗体。
【請求項４】
配列番号７、８、９、１０、１１および１２に規定されるＣＤＲアミノ酸配列を含む抗原認識領域を含む抗体。
【請求項５】
前記ＣＤＲアミノ酸配列は、配列番号１３、１４、１５、１６、１７および１８からなる群から選択される核酸配列によってコードされる、請求項４に記載の抗体。
【請求項６】
金属タンパク質の活性を阻害することができる、請求項３または４に記載の抗体。
【請求項７】
前記金属タンパク質は、ＭＭＰ−２およびＭＭＰ−９からなる群から選択される、請求項６に記載の抗体。
【請求項８】
金属タンパク質阻害剤を製造する方法であって、請求項１または２に記載の化合物に向けられた抗体を作製し、それにより、金属タンパク質阻害剤を製造することを含む方法。
【請求項９】
請求項３または４に記載の抗体と医薬的に許容され得る担体とを含む医薬組成物。
【請求項１０】
マトリックスメタロプロテアーゼ活性を細胞において阻害する方法であって、細胞を請求項３または４に記載される抗体のいずれか１つとインビトロで接触させ、それにより、マトリックスメタロプロテアーゼ活性を細胞において阻害することを含む方法。
【請求項１１】
固体支持体に付着される、請求項３または４に記載の抗体。
【請求項１２】
請求項３または４に記載の抗体と緩衝剤を含むキット。
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
遊離塩基型、酸付加塩型、もしくはイオン型、またはそれらの組み合わせのテルビナフィン化合物、水、および少なくとも一種類の水溶性または水混和性の非イオン性界面活性剤を含む、イオン導入法による送達に適した薬学的組成物であって、界面活性剤が約15重量％〜約50重量％の濃度で存在し、かつアルコールが実質的に存在しない、薬学的組成物。
【請求項２】
製剤の伝導度が約1.0 mSi/cmを上回る、請求項1記載の薬学的組成物。
【請求項３】
約0.1％テルビナフィン〜約2％テルビナフィンを含む、請求項1記載の薬学的組成物。
【請求項４】
ゲルである、請求項1記載の薬学的組成物。
【請求項５】
爪真菌症の処置のための、請求項1記載の薬学的組成物。
【請求項６】
イオン導入装置および体の領域に対して適用する前のpHが4より大きく、かつ適用時のpHが4未満である、請求項1記載の薬学的組成物。
【請求項７】
伝導度増強剤をさらに含む薬学的組成物であって、伝導度増強剤が約5％以内の量で存在し、かつ伝導度が約1.0 mSi/cmを上回る、請求項1記載の薬学的組成物。
【請求項８】
伝導度増強剤がNaCl、KCl、硫酸ナトリウム、およびヨウ化ナトリウムの少なくとも一つである、請求項7記載の薬学的組成物。
【請求項９】
ゲル化剤、緩衝剤、pH調整剤、浸透増強剤、保存剤、および薬学的賦形剤の少なくとも一つをさらに含む、請求項1記載の薬学的組成物。
【請求項１０】
酢酸をさらに含む、請求項1記載の薬学的組成物。
【請求項１１】
テルビナフィンが、テルビナフィンと酢酸との塩を含む、請求項1記載の薬学的組成物。
【請求項１２】
テルビナフィン化合物が、テルビナフィン塩基であり、かつ少なくとも一種類の界面活性剤が、約30重量％の2-(2-エトキシエトキシ)エタノールを含む、請求項1記載の薬学的組成物。
【請求項１３】
請求項1記載の薬学的組成物を含むイオン導入装置を含む、爪真菌症を処置するための装置。
【請求項１４】
遊離塩基型、酸付加塩型、もしくはイオン型、またはそれらの組み合わせのテルビナフィン化合物、水、および少なくとも一種類の水溶性または水混和性の非イオン性界面活性剤を含む、イオン導入法による送達に適した薬学的組成物であって、薬学的組成物がゲルであり、かつアルコールが実質的に存在しない、薬学的組成物。
【請求項１５】
ゲル化剤をさらに含む、請求項14記載の薬学的組成物。
【請求項１６】
界面活性剤が、約15重量％、約20重量％、約25重量％、または約30重量％の濃度で存在する、請求項1記載の薬学的組成物。
【請求項１７】
真菌感染症を処置するための薬剤の調製における、請求項1-5、12、14、および15のいずれか一項記載の組成物。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
６０℃から９０℃の間のガラス転移温度を有し、ならびにＸ線回折図がハロの存在および回折ピークの不存在を示すことを特徴とするＮ−ピペリジノ−５−（４−ブロモフェニル）−１−（２，４−ジクロロフェニル）−４−エチルピラゾール−３−カルボキサミド、および６５℃から９５℃の間のガラス転移温度を有し、ならびにＸ線回折図がハロの存在および回折ピークの不存在を示すことを特徴とするＮ−ピペリジノ−５−（４−クロロフェニル）−１−（２，４−ジクロロフェニル）−４−メチルピラゾール−３−カルボキサミドから選択される、非晶質形態であるピラゾール−３−カルボキサミド誘導体。
【請求項２】
前記誘導体が、６０℃から９０℃の間のガラス転移温度を有し、およびそのＸ線回折図がハロの存在および回折ピークの不存在を示すことを特徴とするＮ−ピペリジノ−５−（４−ブロモフェニル）−１−（２，４−ジクロロフェニル）−４−エチルピラゾール−３−カルボキサミドであることを特徴とする、請求項１に記載のピラゾール−３−カルボキサミド誘導体の非晶質形態。
【請求項３】
前記誘導体が、６５℃から９５℃の間のガラス転移温度を有し、およびそのＸ線回折図がハロの存在および回折ピークの不存在を示すことを特徴とするＮ−ピペリジノ−５−（４−クロロフェニル）−１−（２，４−ジクロロフェニル）−４−メチルピラゾール−３−カルボキサミドであることを特徴とする、請求項１に記載のピラゾール−３−カルボキサミド誘導体の非晶質形態。
【請求項４】
それ自体が非晶質形態である１種以上の安定化賦形剤と一緒に、非晶質形態であるＮ−ピペリジノ−５−（４−ブロモフェニル）−１−（２，４−ジクロロフェニル）−４−エチルピラゾール−３−カルボキサミドおよびＮ−ピペリジノ−５−（４−クロロフェニル）−１−（２，４−ジクロロフェニル）−４−メチルピラゾール−３−カルボキサミドから選択されるピラゾール−３−カルボキサミド誘導体またはその塩および／または溶媒和物のうちの１つを含む非晶質固溶体。
【請求項５】
ピラゾール−３−カルボキサミド誘導体が、それ自体が非晶質形態である１種以上の安定化賦形剤と一緒の、非晶質形態であるＮ−ピペリジノ−５−（４−ブロモフェニル）−１−（２，４−ジクロロフェニル）−４−エチルピラゾール−３−カルボキサミドまたはその塩および／または溶媒和物のうちの１つであることを特徴とする、請求項４に記載の非晶質固溶体。
【請求項６】
ピラゾール−３−カルボキサミド誘導体が、それ自体が非晶質形態である１種以上の安定化賦形剤と一緒の、非晶質形態であるＮ−ピペリジノ−５−（４−クロロフェニル）−１−（２，４−ジクロロフェニル）−４−メチルピラゾール−３−カルボキサミドまたはその塩および／または溶媒和物のうちの１つであることを特徴とする、請求項４に記載の非晶質固溶体。
【請求項７】
安定化賦形剤が、薬学的に許容される酸、ポリオールまたは
−メタクリレートコポリマー、
−ビニルホモポリマーおよびコポリマー、
−ポリデキストロース、
−セルロースポリマー、
−化学的変性デンプン、
−ペクチン、
−キチン誘導体、
−天然起源のポリマー、
−ポリアルキレンオキシド、
−ポリエチレングリコール
から選択されるポリマー賦形剤から選択される、請求項４から６のいずれか一項に記載の非晶質固溶体。
【請求項８】
安定化賦形剤が、安定化賦形剤の総モル数が非晶質活性成分のモル数に少なくとも等しい量である、請求項７に記載の非晶質固溶体。
【請求項９】
安定化賦形剤が、１種の薬学的に許容される酸または複数種の薬学的に許容される酸である、請求項７に記載の非晶質固溶体。
【請求項１０】
薬学的に許容される酸賦形剤の酸官能基の総数が非晶質活性成分の分子の数に少なくとも等しい、請求項９に記載の非晶質固溶体。
【請求項１１】
１種の安定化賦形剤がクエン酸またはフマル酸である、請求項７、９および１０のいずれか一項に記載の非晶質固溶体。
【請求項１２】
安定化賦形剤がポリオールである、請求項７に記載の非晶質固溶体。
【請求項１３】
安定化賦形剤がポリマーである、請求項７に記載の非晶質固溶体。
【請求項１４】
安定化ポリマー賦形剤の単位（モノマー）の数が非晶質活性成分のモル数に少なくとも等しい、請求項１３に記載の非晶質固溶体。
【請求項１５】
安定化賦形剤が、７５℃より高いガラス転移温度を有するポリマーである、請求項７、１３および１４のいずれか一項に記載の非晶質固溶体。
【請求項１６】
１種の安定化賦形剤がメタクリレートコポリマーまたはビニルホモポリマーもしくはコポリマーである、請求項７、１３および１４のいずれか一項に記載の非晶質固溶体。
【請求項１７】
１種の安定化賦形剤が、塩基性ブチルメタクリレートコポリマー、メタクリル酸／メチルメタクリレート（１：１）コポリマー、メタクリル酸／メチルメタクリレート（１：２）コポリマーまたはメタクリル酸／エチルアクリレート（１：１）コポリマーから選択される安定化賦形剤である、請求項７および１５のいずれか一項に記載の非晶質固溶体。
【請求項１８】
安定化賦形剤が、メタクリル酸／メチルメタクリレート（１：１）コポリマーまたはメタクリル酸／エチルアクリレート（１：１）コポリマーである、請求項７および１５のいずれか一項に記載の非晶質固溶体。
【請求項１９】
請求項４から１８のいずれか一項に記載の非晶質固溶体の調製方法であって、
ａ）非晶質形態であるまたは結晶質形態である本発明によるピラゾール−３−カルボキサミド誘導体および安定化賦形剤を適切な溶媒に溶解させて、液体溶液を形成させること、
ｂ）溶媒を除去すること
を特徴とする、方法。
【請求項２０】
請求項４から１８のいずれか一項に記載の非晶質固溶体の調製方法であって、
結晶質または非晶質形態であるピラゾール−３−カルボキサミド誘導体と安定化賦形剤の混合物を、溶融と急速冷却によって、または射出成形によって、または押出成形によって処理することを特徴とする、方法。
【請求項２１】
請求項４から１８のいずれか一項に記載の非晶質固溶体の調製方法であって、
結晶質または非晶質形態であるピラゾール−３−カルボキサミド誘導体および安定化賦形剤を一緒に粉砕することを特徴とする、方法。
【請求項２２】
請求項４から１８のいずれか一項に記載の非晶質固溶体を含有する医薬組成物。
【請求項２３】
経口投与用の、請求項２２に記載の非晶質固溶体を含有する医薬組成物。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2010519243.tif 000001
［式中、Ｒ１は、水素であり、Ｒ２は、下記式｛記号＊は結合部を示す｝：
【化２】
2010519243.tif 000002
を有する一価の基からなる群から選択され、
Ｑは、ヒドロキシであり；
Ｒ４は、水素であり；
Ｒ５は、水素であり；そして
Ｙは、２−［１−（カルボン酸イソプロピルアミド）ピペリジン−４−イル］−エトキシ、６−クロロ−ピリジン−３−イル−メトキシ、テトラヒドロピラン−４−イル−メトキシ、２−（２−オキソ−ピロリジン−１−イル）−エトキシ、５−クロロ−ピリジン−２−イルオキシ、６−ブロモ−ピリジン−３−イルオキシ、フェネチルオキシ、２−（テトラヒドロピラン−４−イル）−エトキシ、ベンジルオキシ、２−（１−シクロプロパンスルホニル−ピペリジン−４−イル）−エトキシ及び４−フルオロベンジルオキシからなる群から選択される］の化合物、又はその医薬的に許容可能な酸若しくは塩基との塩、又は任意の光学異性体、若しくはラセミ混合物を含む光学異性体の混合物、又は任意の互変異性体。
【請求項２】
前記化合物が、４−｛２−［３−（５−ヒドロキシ−アダマンタン−２−イルカルバモイル）−フェノキシ］−エチル｝−ピペリジン−１−カルボン酸イソプロピルアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項３】
前記化合物が、３−（６−クロロ−ピリジン−３−イルメトキシ）−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項４】
前記化合物が、Ｎ−（５−ヒドロキシ−アダマンタン−２−イル）−３−（テトラヒドロ−ピラン−４−イルメトキシ）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項５】
前記化合物が、Ｎ−（５−ヒドロキシ−アダマンタン−２−イル）−３−［２−（２−オキソ−ピロリジン−１−イル）−エトキシ］−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項６】
前記化合物が、３−（５−クロロ−ピリジン−２−イルオキシ）−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項７】
前記化合物が、３−（６−ブロモ−ピリジン−３−イルオキシ）−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項８】
前記化合物が、Ｎ−（５−ヒドロキシ−アダマンタン−２−イル）−３−フェネチルオキシ−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項９】
前記化合物が、Ｎ−（５−ヒドロキシ−アダマンタン−２−イル）−３−［２−（テトラヒドロ−ピラン−４−イル）−エトキシ］−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項１０】
前記化合物が、３−ベンジルオキシ−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項１１】
前記化合物が、３−［２−（１−シクロプロパンスルホニル−ピペリジン−４−イル）−エトキシ］−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【請求項１２】
前記化合物が、３−（４−フルオロ−ベンジルオキシ）−Ｎ−（５−ヒドロキシ−アダマンタン−２−イル）−ベンズアミド、又はその医薬的に許容可能な酸若しくは塩基との塩、又は任意の光学異性体、若しくはラセミ混合物を含む光学異性体の混合物、又は任意の互変異性体である、請求項１に記載の化合物。
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
雰囲気ガスに安定なアルカリまたはアルカリ土類金属の供給装置（１０；２０；３０；４０；５０；６０）であり、ゲッター材料（１３；２３；３３；４３；５３；６３）の堆積物を備える支持体（１１）を含み、アルカリまたはアルカリ土類金属がそのゲッター材料の堆積物と接触することにより雰囲気から機械的および化学的に保護される元素金属の形態で供給装置内に存在する供給装置。
【請求項２】
アルカリまたはアルカリ土類金属が、ゲッター材料（１３；２３；３３；４３）の堆積物により完全に被覆された堆積物（１２；２２；３２；４２）の形態で供給装置に存在する請求項１に記載の供給装置。
【請求項３】
アルカリまたはアルカリ土類金属の堆積物と支持体の間に、さらにバリア層（２４；３４；４４）を含む請求項２に記載の供給装置。
【請求項４】
アルカリまたはアルカリ土類金属の堆積物の厚さが１〜１００nmである請求項２に記載の供給装置。
【請求項５】
ゲッター材料の堆積物の厚さが１００nm〜１μｍである請求項２に記載の供給装置。
【請求項６】
バリア層が１００nm〜１μｍの厚さを有する請求項３に記載の供給装置。
【請求項７】
アルカリまたはアルカリ土類金属がゲッター材料の堆積物（５３；６３）の少なくとも一部の内側に分散されている請求項１に記載の供給装置。
【請求項８】
ゲッター材料の該堆積物（６３）と該支持体の間に、さらにバリア層（６４）を含む請求項７に記載の供給装置（６０）。
【請求項９】
ゲッター材料の該堆積物が１００nm〜１μｍの厚さを有する請求項７に記載の供給装置。
【請求項１０】
該バリア層が１００nm〜１μｍの厚さを有する請求項８に記載の供給装置。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
ポンピングカセットであって、
少なくとも２つの流入口流路及び少なくとも２つの排出口流路を含むハウジングと、
前記ハウジング内に位置され、前記流体ラインと流体連通されることにより、第１流体の量と第２流体の量が同一になるように、第１流体の流動と第２流体の流動のバランスを取る少なくとも１つのバランスポッドであって、二つのバランス室を形成する膜を含む、前記バランスポッドと、
前記ハウジング内で、少なくとも１つの往復運動型圧力変位膜ポンプであって、前記圧力ポンプが流入口流体ラインから排出口流体ラインへと第１流体を汲み出し、且つ、流入口流体ラインから排出口流体ラインまで前記第２流体を汲み出す、前記少なくとも１つの往復運動型圧力変位膜ポンプと
を備える、ポンピングカセット。
【請求項２】
流路に流体連通される前記ハウジング内の定量ポンプをさらに備え、
前記定量ポンプが、
所定の量の流体を汲み出すことと、
前記圧力ポンプ及び前記定量ポンプは、空圧式で作動されるポンプであることと、
前記流体がバランス室を迂回するように、所定の量の流体を汲み出し、且つ、前記定量ポンプが膜ポンプであることと
のうち少なくとも１つを特徴とする、請求項１に記載のポンピングカセット。
【請求項３】
少なくとも１つの流体弁、または少なくとも２つの流体弁を更に備え、前記少なくとも２つの流体弁が１つの空圧弁によって作動される、請求項１または２に記載のポンピングカセット。
【請求項４】
ポンプカセットであって、
少なくとも１つの流体流入口ライン及び少なくとも１つの流体排出口ラインを含むハウジングと、
前記ハウジング内の少なくとも１つの往復運動型圧力変位ポンプであって、前記圧力ポンプは、少なくとも１つの流体を前記流体流入口ラインから前記流体排出口ラインの少なくとも１つへと汲み出す、前記少なくとも１つの往復運動型圧力変位膜ポンプと、
前記流体排出口ラインに流体連通される前記ハウジング内の少なくとも１つの混合室とを備えるポンピングカセット。
【請求項５】
少なくとも１つの弁と、膜を有する弁ハウジングを含み、前記膜が前記弁ハウジングを二つの室に分割する、少なくとも１つの弁とのうちのいずれかをさらに備える、請求項４に記載のポンピングカセット。
【請求項６】
前記混合室が、少なくとも１つの流体流入口と少なくとも１つの流体排出口とを有する曲線状の硬質な室壁を含む、請求項４または５に記載のポンピングカセット。
【請求項７】
前記ハウジング内の少なくとも１つの定量膜ポンプをさらに備え、前記定量ポンプは、前記ハウジング上の前記混合室と定量ポンプ流路とに流体連通され、前記定量ポンプ流路は、少なくとも１つの流体流入口ラインの少なくとも１つに流体連通されるか、または第２流体流入口ラインに連結される、請求項４、５または６に記載のポンピングカセット。
【請求項８】
ポンピングカセットであって、
少なくとも１つの流体ポートと少なくとも１つの通気口とを含むハウジングであって、前記通気口が前記ハウジングの外部に流体ソースを排出する、前記ハウジングと、
前記ハウジング内の少なくとも１つの往復運動型圧力変位膜ポンプと
を備え、前記ポンプが流体を汲み出す、ポンピングカセット。
【請求項９】
前記往復運動型圧力変位ポンプが、
曲線状の硬質な室壁と、
前記硬質な室壁に付着された可撓性膜と
を含み、前記可撓性膜及び硬質な室壁がポンプ室を画定することと、
前記カセットハウジングが、
天板と、
中板と、
低板と
を含むことと
のうちの少なくとも１つを特徴とする、請求項１、４又は８に記載のポンピングカセット。
【請求項１０】
少なくとも１つの弁、
膜弁である少なくとも１つの弁、
膜を有する弁ハウジングを含み、前記膜が前記ハウジングを二つの室に分割する、少なくとも１つの弁、
膜を有する弁ハウジングを含み、前記膜が前記ハウジングを二つの室に分割し、前記二つの室の１つが作動室であり、前記二つの室の１つが流体ポンプ室である、少なくとも１つの弁、
膜を有する弁ハウジングを含み、前記膜が前記ハウジングを二つの室に分割し、前記二つの室の１つが作動室であり、前記作動室が少なくとも１つの開口を有し、前記流体ポンプ室が少なくとも１つの開口を有する、少なくとも１つの弁、または
膜を有する弁ハウジングを含み、前記膜が前記ハウジングを二つの室に分割し、前記二つの室の１つが作動室であり、前記作動室が、二つの開口を含む、少なくとも１つの弁をさらに備え、
前記弁が、火山形状弁であることと、前記流体ポンプ室が、実質的に滑らかな表面を含むこととのうちの少なく１つを特徴とする、請求項８または９に記載のポンピングカセット。
【請求項１１】
前記弁が、逆止め弁である、請求項１０に記載のポンピングカセット。
【請求項１２】
カセット統合型システムであって、
混合カセットと、
バランスカセットと、
前記混合カセット及び前記バランスカセットに流体連通された中間カセットと、
少なくとも１つのポッドと
を備え、前記混合カセットは、少なくとも１つの流路によって、前記中間カセットに流体連通され、前記中間カセットは、少なくとも１つの流路によって、前記バランスカセットに流体連通され、これにより、前記少なくとも１つのポッドのそれぞれが、前記カセットの少なくとも２つのカセットに連結され、前記ポッドが前記カセット間の領域に配置され、前記混合カセット、前記バランスカセット、及び前記中間カセットの各ハウジングは、天板、中板、低板を選択的に含む、カセット統合型システム。
【請求項１３】
前記ポッドが、少なくとも１つの流体流入口と少なくとも１つの流体排出口とを有する曲線状の硬質な室壁を含む、請求項１２に記載のカセット統合型システム。
【請求項１４】
前記混合カセット、中間カセット、及びバランスカセットが、少なくとも１つの弁と、膜弁である少なくとも１つの弁とのうちのいずれかを備えることと、
前記混合カセットは、前記混合カセットハウジング内で、少なくとも１つの定量膜ポンプをさらに備え、前記混合室は、前記流体排出口ラインに流体連通されることと、
前記バランスカセットは、前記ハウジング内に位置され、流路に流体連通される少なくとも１つの定量ポンプをさらに備え、前記流体が、前記バランス室を迂回するように、前記定量ポンプは、所定の量の流体を汲み出し、前記定量ポンプが膜ポンプであることと
のうちの少なくとも１つを特徴とする請求項１２または１３に記載のカセット統合型システム。
【請求項１５】
前記カセットに連結される流路の少なくとも１つが、硬質の中空型円筒状構造物であることと、
前記カセットに連結される流路の少なくとも１つが、前記円筒状構造物内に逆止め弁を含むこととのうち少なくとも１つを特徴とする、請求項１２、１３、または１４に記載のカセット統合型システム。
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
水からフッ素性化学物質を除去するためのシステムであって、
イオン交換樹脂を含有する容器であって、前記イオン交換樹脂は、官能基が結合した不溶性のマトリックスを含み、前記官能基は式：
−Ｎ（Ｒ１Ｒ２Ｒ３）
（式中、
Ｎは窒素であり；
Ｒ１、Ｒ２及びＲ３は炭化水素基であり、同一又は異なって、直鎖状、分枝状であることができ、及び／又は部分的若しくは完全に置換されていてもよく、Ｃ2以上の炭素鎖長を有してもよい）の四級アミンを含む容器と；
水の流れを前記容器に向け、それによって前記イオン交換樹脂と接触させる入口と；
水の流れを前記容器の外に向ける出口と；を含む、システム。
【請求項２】
Ｒ１、Ｒ２及びＲ３が、Ｃ2〜Ｃ１８の範囲の炭素鎖長を有する炭化水素基である、請求項１に記載のシステム。
【請求項３】
Ｒ１、Ｒ２又はＲ３の少なくとも１つがフッ素化されている、請求項１に記載のシステム。
【請求項４】
前記四級アミンが、＋Ｎ（Ｃ８Ｈ１７）３、＋Ｎ（Ｃ６Ｈ１３）３、＋Ｎ（ＣＨ３）２（Ｃ６Ｈ１３）、＋Ｎ（ＣＨ３）２（Ｃ１２Ｈ２５）、＋Ｎ（ＣＨ３）２（Ｃ１６Ｈ３３）、＋Ｎ（ＣＨ３）２（Ｃ１８Ｈ３７）、＋Ｎ（ＣＨ３）２ＣＨ２ＣＨ２Ｃ６Ｆ１３、＋Ｎ（ＣＨ３）２ＣＨ２ＣＨ２Ｎ（ＣＨ３）ＳＯ２Ｃ４Ｆ９、＋Ｎ（Ｃ４Ｈ９）３、＋Ｎ（Ｃ３Ｈ７）３、＋Ｎ（Ｃ２Ｈ５）３、及び前述の２以上の組み合わせからなる群より選択される、請求項１に記載のシステム。
【請求項５】
水からフッ素性化学物質を除去するためのプロセスであって、
フッ素性化学物質を含む水をイオン交換樹脂に曝す工程であって、前記樹脂が、官能基が結合した不溶性のマトリックスを含み、前記官能基は式：
−Ｎ（Ｒ１Ｒ２Ｒ３）
（式中、
Ｎは窒素であり；
Ｒ１、Ｒ２及びＲ３は炭化水素基であり、同一又は異なって、直鎖状、分枝状であることができ、及び／又は部分的若しくは完全に置換されていてもよく、Ｃ2以上の炭素鎖長を有してもよい）の四級アミンを含む工程と；
一定期間前記水を前記樹脂に接触させ続ける工程と；
前記水を前記樹脂から分離する工程と；を含むプロセス。